(57)【特許請求の範囲】
【請求項１】
風呂の追い焚き運転用の追い焚き熱交換器と、給湯運転用の給湯熱交換器とが一体的に設けられ、それら一体化した給湯熱交換器と追い焚き熱交換器を共通に燃焼加熱するバーナを備え、バーナの燃焼により発生した燃焼熱量から上記追い焚き熱交換器の通水が受け取る吸熱量と該吸熱量に対する風呂の温度上昇分とに基づき風呂の水量を検出するタイプの一缶多水路式燃焼機器において、給湯と追い焚きが共に行われる同時運転中に、バーナの燃焼により発生した燃焼熱量のうち、給湯熱交換器と追い焚き熱交換器の各通水に吸熱されて有効に利用される実効総燃焼熱量を検出する実効総燃焼熱量検出部と、給湯熱交換器に給水される水の入水温度と給水流量と給湯熱交換器から給湯される出湯温度をパラメータとして給湯熱交換器の通水吸熱量を求める給湯通水給熱量検出部と、バーナ燃焼熱量から追い焚き熱交換器の通水が受け取る吸熱量を検出する追い焚き通水給熱量検出部とを有し、該追い焚き通水給熱量検出部は追い焚きのみの追い焚き単独運転中にはバーナ燃焼熱量に基いて追い焚き熱交換器の通水が受け取る吸熱量を検出する追い焚き単独運転中吸熱量検出部と、給湯と追い焚きの同時運転中は上記実効総燃焼熱量検出部によって検出される実効総燃焼熱量から上記給湯通水給熱量検出部によって求められた給湯熱交換器の通水吸熱量を差し引いて追い焚き熱交換器の通水が受け取る吸熱量を検出する同時運転中吸熱量検出部とを有して構成され、上記追い焚き通水吸熱量検出部により求められた追い焚き熱交換器の通水の吸熱量に基づき風呂の水量を検出する構成としたことを特徴とする一缶多水路式燃焼機器。
【請求項２】
追い焚き通水吸熱量検出部は、吸熱量検出開始指令を受けた後に設定のタイミング毎に追い焚き熱交換器の通水の吸熱量を検出する動作を開始し、この追い焚き熱交換器の通水吸熱量検出動作中に、追い焚き単独運転から同時運転に切り換わったときには同時運転中吸熱量検出部により追い焚き熱交換器の通水の吸熱量を検出し、また、同時運転から追い焚き単独運転に切り換わったときには追い焚き単独運転中吸熱量検出部により追い焚き熱交換器の通水の吸熱量を検出し、運転切り換え前に検出した追い焚き熱交換器の通水吸熱量と運転切り換え後に検出した追い焚き熱交換器の通水吸熱量とを積算した値を追い焚き熱交換器の通水総吸熱量として検出する構成と成し、この通水総吸熱量に基づき風呂の水量を検出する構成としたことを特徴とする請求項１記載の一缶多水路式燃焼機器。
【請求項３】
風呂の温度を検出する風呂温度検出手段が設けられ、追い焚き単独運転中吸熱量検出部は、上記風呂温度検出手段により検出される風呂温度に基づいて定まる追い焚き熱交換器の熱効率と、バーナの燃焼熱量との組み合わせによって、追い焚き熱交換器の通水の吸熱量を検出する構成としたことを特徴とする請求項１又は請求項２記載の一缶多水路式燃焼機器。
【請求項４】
給湯熱交換器内の湯温を検出する給湯熱交換器湯温検出手段と；オフ温度とオン温度とが予め与えられ、追い焚き単独運転中に上記給湯熱交換器湯温検出手段により検出される給湯熱交換器内の湯温が上記オフ温度以上に上昇したときにはバーナ燃焼を停止し、上記検出湯温がオン温度以下に低下したときにはバーナ燃焼を再開させるバーナ間欠燃焼制御部と；が設けられている構成としたことを特徴とする請求項１乃至請求項３の何れか１つに記載の一缶多水路式燃焼機器。
【請求項５】
給湯熱交換器内の湯温を検出する給湯熱交換器湯温検出手段と；オフ温度とオン温度とが予め与えられ、追い焚き単独運転中に上記給湯熱交換器湯温検出手段により検出される給湯熱交換器内の湯温が上記オフ温度以上に上昇したときにはバーナの燃焼熱量を減少させ、上記検出湯温がオン温度以下に低下したときにはバーナの燃焼熱量を増加させるバーナ間欠燃焼制御部と；が設けられている構成としたことを特徴とする請求項１乃至請求項３の何れか１つに記載の一缶多水路式燃焼機器。
【発明の詳細な説明】
【０００１】
【発明の属する技術分野】
本発明は、給湯機能と追い焚き機能を備えた一缶多水路式燃焼機器に関するものである。
【０００２】
【従来の技術】
図１０には出願人が開発している一缶多水路式燃焼機器である一缶二水路風呂給湯器のシステム構成例が示されている。同図において、器具ケース１内には給湯運転用の給湯熱交換器２と追い焚き運転用の追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８と、ガスの供給量（バーナの燃焼熱量）を開弁量によって制御する比例弁１０とが介設されている。なお、前記比例弁１０の開弁量制御は、具体的には、比例弁１０に印加される電流（開弁駆動電流）の可変制御によって行われている。
【０００４】
前記給湯熱交換器２の入側には給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３とが設けられている。なお、給水管１１の入口側は水道管に接続されている。
【０００５】
前記給湯熱交換器２の出側には給湯管１４が接続されており、この給湯管１４は外部配管を介して台所等の所望の給湯場所に導かれている。前記給湯熱交換器２の出側の流路には給湯温度を検出する給湯温度センサ１５が設けられている。
【０００６】
前記追い焚き熱交換器３の入側には管路１６の一端側が接続され、管路１６の他端側は循環ポンプ１７の吐出側に接続されている。そして、循環ポンプ１７の吸込側と浴槽（風呂）１８は戻り管２０によって接続されており、この戻り管２０には浴槽１８の循環湯水の温度を風呂温度として検出する風呂温度検出手段である風呂温度センサ２１と、流水を検出する流量センサ又は流水センサ（流水スイッチ）１９とが設けられている。前記追い焚き熱交換器３の出側には往管２２の一端側が接続され、往管２２の他端側は浴槽１８に接続されており、浴槽１８から戻り管２０を介して循環ポンプ１７、管路１６、追い焚き熱交換器３および往管２２を介して浴槽１８に戻る通路は浴槽湯水が循環する追い焚き循環流路２３を構成している。なお、上記戻り管２０と往管２２は図示されていない循環金具を用いて浴槽１８の側壁に接続されている。
【０００７】
前記給湯熱交換器２の給湯管１４と追い焚き循環流路２３（図１０においては管路１６）は湯張り通路２４によって連通接続されており、この湯張り通路２４には通路の開閉を行う電磁弁等により構成される注湯弁２５が介設されている。
【０００８】
前記流量検出センサ１３、温度センサ１２，１５，２１のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、自動運転、給湯運転、湯張り運転、追い焚き運転等を指令する各種運転ボタンや、必要な情報を表示する表示部等が設けられている。
【０００９】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１０】
例えば、台所等に導かれた給湯通路の水栓３０が開けられ、給湯運転を開始することが可能な予め定めた給湯作動流量（例えば、２．５リットル／ｍｉｎ）以上の流量が流量検出センサ１３により検出されると、燃焼ファン６を回転させ、電磁弁７，８を開弁させてバーナ５に燃料ガスが供給されると共に、点火器（図示せず）の点火によりバーナ５の燃焼を開始させ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１１】
また、リモコン２８により自動運転のモードや、湯張り運転モードが指令されると、まず、浴槽１８内に湯水が残っているか否かの残水有無判断動作を行い、残水が無いと判断したときには、注湯弁２５を開け、上記同様にバーナ５の燃焼により給湯熱交換器２で作り出された湯を、給湯管１４と湯張り通路２４と追い焚き循環流路２３を順に通して浴槽１８に供給し始める。
【００１２】
そして、流量検出センサ１３により検出される流量を積算していくことにより浴槽１８への注湯量を検出する。一方、予め与えられた図４に示すような浴槽水位（Ｐ）と浴槽水量（Ｑ）との関係データ（以下、Ｐ−Ｑデータと記す）に基づいて設定水位Ｐspに対応する設定水量Ｑspが求められており、上記検出注湯量に基づいて上記設定水量Ｑspを浴槽１８に注湯し終えたと判断したときに、注湯弁２５を閉弁して湯張り運転を終了する。
【００１３】
また、上記浴槽残水有無判断動作によって、浴槽１８に残水が有ると判断したときには残水量Ｑzqを求め、前記設定水量Ｑspから上記求めた残水量Ｑzqを差し引いて設定水位Ｐspまでの注湯量を求め、該求めた水量分を浴槽１８に注湯して湯張り運転を終了する。
【００１４】
ところで、上記残水量の検出は次のようにして行われる。例えば、循環ポンプ１７を駆動させて浴槽湯水を追い焚き循環流路２３を通して循環させ、バーナ５を燃焼させ、この状態で、上記バーナ５の燃焼により発生する燃焼熱量から追い焚き熱交換器３の通水が受け取る吸熱量を検出する。具体的には、比例弁１０に加えられる開弁駆動電流ｉを燃料消費量Ｉｓとして、つまり、バーナ５の燃焼熱量として検出し、該検出した開弁駆動電流ｉに対応した燃料消費量Ｉｓに設定の追い焚き熱交換器３の熱効率ηを乗算して追い焚き熱交換器３の通水の吸熱量Ｊhr（Ｊhr＝Ｉｓ×η）を時々刻々と検出し、この検出した吸熱量Ｊhrを積算していき総通水吸熱量Ｊhrtotalを検出する。また、風呂温度センサ２１を利用して上記追い焚き熱交換器３の総通水吸熱量Ｊhrtotalによる浴槽湯水の温度上昇量ΔＴを検出し、上記検出した総通水吸熱量Ｊhrtotalを上記浴槽湯水の温度上昇量ΔＴで割り算することで、残水量Ｑzq（Ｑzq＝Ｊhrtotal／ΔＴ）が求められる。
【００１５】
追い焚き運転モードの動作においては、注湯弁２５が閉じられている状態で、循環ポンプ１７を回転駆動させ、浴槽１８内の湯水の循環が追い焚き循環流路２３を通して行われ、風呂温度センサ２１により検出される風呂検出温度が風呂設定温度よりも低いときには、流量センサ（流水センサ）１９から流水オン信号を受けてバーナ５の燃焼を行わせ、追い焚き循環流路２３を通して循環する浴槽湯水を追い焚き熱交換器３で加熱する。そして、風呂温度センサ２１によって浴槽湯水の温度が風呂設定温度Ｔspに達したことが検出されたときに、循環ポンプ１７の停止とバーナ５の燃焼停止を行って追い焚き運転モードの動作を終了する。
【００１６】
ところで、この種の一缶二水路式の燃焼機器は、給湯熱交換器２と追い焚き熱交換器３とが一体化されているため、追い焚き単独運転が行われて、バーナ５の燃焼により追い焚きが行われると、滞留している給湯熱交換器２内の湯水が加熱されて、沸騰あるいは沸騰寸前の高温に加熱され、この状態から水栓３０が開けられて給湯が開始する際に、その高温の湯水が出湯して危険な状態になるという高温出湯の問題が生じる。
【００１７】
そこで、本出願人は、このような問題を解消するために、追い焚き単独運転中には、上記給湯側の滞留湯水の高温加熱を防止することが可能な非常に小さい弱燃焼熱量でもってバーナ５を連続的に燃焼させる燃焼駆動方式や、次に示すようなバーナ５の間欠燃焼の駆動方式を提案している。このバーナ５の間欠駆動方式は、給湯熱交換器２の水管に給湯熱交換器２内の湯温を検出する給湯熱交換器湯温検出手段である給湯熱交湯温センサ３１を設け、図１１に示すように、この給湯熱交湯温センサ３１の検出情報をバーナ間欠燃焼制御部３２に加え、このバーナ間欠燃焼制御部３２によりバーナ５の間欠燃焼を制御するものである。
【００１８】
すなわち、バーナ間欠燃焼制御部３２は、追い焚き単独運転モードの動作（追い焚き単独オンの動作）であることを確認し、図１２に示す如く、給湯熱交湯温センサ３１で検出される給湯熱交湯温が予め与えられるオフ温度以上に上昇したときに、電磁弁７（８）を閉じてバーナ５の燃焼を停止（燃焼オフ）し、この燃焼停止中に給湯熱交湯温が予め与えられるオン温度以下に低下したときに、電磁弁７（８）を開けてバーナ５の燃焼を開始（燃焼オン）させるという如く、バーナ５の間欠燃焼を制御し、追い焚き単独運転中における給湯熱交換器２の滞留湯温が高温に加熱されるのを防止して給湯開始時の安全を図るものである。
【００１９】
【発明が解決しようとする課題】
ところで、前記湯張り運転の残水量検出動作による追い焚き燃焼中には、給湯と追い焚きが共に行われる同時運転と、追い焚き単独運転とを区別せずに、追い焚き単独運転中にも、同時運転と同一の検出用データを用いて残水量を検出していた。しかしながら、追い焚き単独運転中に、上記したようなバーナの弱燃焼熱量連続燃焼や間欠燃焼等の給湯側滞留湯の高温加熱回避動作が行われた場合には、同時運転と同一の検出用データを用いて残水量検出を行うと、残水量を正確に検出することが非常に困難になるという問題がある。
【００２０】
それというのは、同時運転中にはバーナ５は連続的に燃焼するのに対して、追い焚き単独運転中に前記間欠燃焼が行われる場合にはバーナ燃焼がオン・オフしてしまうので、追い焚き単独運転中の追い焚き熱交換器３の熱効率η’は同時運転中の連続燃焼状態における追い焚き熱交換器３の熱効率ηと異なるものであり、このことにより、追い焚き単独運転の間欠燃焼中に、同時運転に対する追い焚き熱交換器３の熱効率ηを用いて検出された追い焚き熱交換器３の通水吸熱量は正確なものではなく、この不正確な通水吸熱量を用いて残水量が求められるため、浴槽１８の残水量を正確に検出することができない。
【００２１】
また、追い焚き単独運転中に、弱燃焼熱量でもって連続的にバーナを燃焼させたときにも、前記したように浴槽１８の残水量を正確に検出することが困難であった。それというのは、一缶二水路タイプのものでは、図８や図９に示すように、給湯側水管の上側に追い焚き側水管が一体的に設けられ、それら給湯側水管と追い焚き側水管とはバーナ５の燃焼によって共通に加熱されるが、追い焚き側水管を通る水の熱交換の態様が同時運転中と追い焚き単独運転中とは異なる。図９に示すように、同時運転中には、バーナ５の燃焼熱量は大きく、給湯側水管と追い焚き側水管の各通水は両方共にバーナ燃焼熱量から直接的に熱量を受け取るのに対して、図８に示すように、追い焚き単独運転中における弱燃焼熱量連続燃焼中には、燃焼熱量が非常に小さいので、バーナ５の燃焼熱量はバーナ５に近い給湯側水管の通水に吸熱され、追い焚き側水管の通水は上記給湯側水管から熱量を吸熱する。
【００２２】
上記のように、弱燃焼熱量連続燃焼が行われる追い焚き単独運転中と、同時運転中とは、追い焚き側水管の熱交換の態様が異なり、これに起因して、追い焚き単独運転中における追い焚き熱交換器熱効率η’は同時運転中の追い焚き熱交換器熱効率ηと異なることから、同時運転中に対する追い焚き熱交換器熱効率ηを用いて検出された追い焚き熱交換器３の通水吸熱量は正確でなく、浴槽１８の残水量を精度良く検出することができない。
【００２３】
そこで、追い焚き単独運転専用の追い焚き熱交換器の熱効率を与えることが考えられるが、上記間欠燃焼中における燃焼オン時間や燃焼オフ時間は一定ではなく、定まらないものなので、間欠燃焼中における追い焚き熱交換器の熱効率は時々刻々と変動し、一方、弱燃焼熱量連続燃焼中にも追い焚き熱交換器の熱効率は変動することが分かっていることから、追い焚き単独運転に対する一定の追い焚き熱交換器の熱効率を与えることは難しく、一定の追い焚き熱交換器の熱効率を与えて、追い焚き熱交換器３の通水吸熱量を正確に求めることはできず、浴槽１８の残水量を正確に求めることが困難であった。
【００２４】
本発明は上記課題を解決するために成されたものであり、その目的は、追い焚き単独運転に起因した給湯熱交換器滞留湯水の高温加熱の問題を回避することができる上に、風呂の水量を正確に検出することが可能な一缶多水路式燃焼機器を提供することにある。
【００２５】
【課題を解決するための手段】
上記目的を達成するために、この発明は次のような構成をもって前記課題を解決するための手段としている。すなわち、第１の発明は風呂の追い焚き運転用の追い焚き熱交換器と、給湯運転用の給湯熱交換器とが一体的に設けられ、それら一体化した給湯熱交換器と追い焚き熱交換器を共通に燃焼加熱するバーナを備え、バーナの燃焼により発生した燃焼熱量から上記追い焚き熱交換器の通水が受け取る吸熱量と該吸熱量に対する風呂の温度上昇分とに基づき風呂の水量を検出するタイプの一缶多水路式燃焼機器において、給湯と追い焚きが共に行われる同時運転中に、バーナの燃焼により発生した燃焼熱量のうち、給湯熱交換器と追い焚き熱交換器の各通水に吸熱されて有効に利用される実効総燃焼熱量を検出する実効総燃焼熱量検出部と、給湯熱交換器に給水される水の入水温度と給水流量と給湯熱交換器から給湯される出湯温度をパラメータとして給湯熱交換器の通水吸熱量を求める給湯通水給熱量検出部と、バーナ燃焼熱量から追い焚き熱交換器の通水が受け取る吸熱量を検出する追い焚き通水給熱量検出部とを有し、該追い焚き通水給熱量検出部は追い焚きのみの追い焚き単独運転中にはバーナ燃焼熱量に基いて追い焚き熱交換器の通水が受け取る吸熱量を検出する追い焚き単独運転中吸熱量検出部と、給湯と追い焚きの同時運転中は上記実効総燃焼熱量検出部によって検出される実効総燃焼熱量から上記給湯通水給熱量検出部によって求められた給湯熱交換器の通水吸熱量を差し引いて追い焚き熱交換器の通水が受け取る吸熱量を検出する同時運転中吸熱量検出部とを有して構成され、上記追い焚き通水吸熱量検出部により求められた追い焚き熱交換器の通水の吸熱量に基づき風呂の水量を検出する構成をもって前記課題を解決する手段としている。
【００２６】
第２の発明は、上記第１の発明を構成する追い焚き通水吸熱量検出部は、吸熱量検出開始指令を受けた後に設定のタイミング毎に追い焚き熱交換器の通水の吸熱量を検出する動作を開始し、この追い焚き熱交換器の通水吸熱量検出動作中に、追い焚き単独運転から同時運転に切り換わったときには同時運転中吸熱量検出部により追い焚き熱交換器の通水の吸熱量を検出し、また、同時運転から追い焚き単独運転に切り換わったときには追い焚き単独運転中吸熱量検出部により追い焚き熱交換器の通水の吸熱量を検出し、運転切り換え前に検出した追い焚き熱交換器の通水吸熱量と運転切り換え後に検出した追い焚き熱交換器の通水吸熱量とを積算した値を追い焚き熱交換器の通水総吸熱量として検出する構成と成し、この通水総吸熱量に基づき風呂の水量を検出する構成とした構成をもって前記課題を解決する手段としている。
【００２７】
第３の発明は、上記第１又は第２の発明の構成に加えて、風呂の温度を検出する風呂温度検出手段が設けられ、追い焚き単独運転中吸熱量検出部は、上記風呂温度検出手段により検出される風呂温度に基づいて定まる追い焚き熱交換器の熱効率と、バーナの燃焼熱量との組み合わせによって、追い焚き熱交換器の通水の吸熱量を検出する構成をもって前記課題を解決する手段としている。
【００２９】
第４の発明は、上記第１〜第３の発明のうちの何れか１つの発明の構成に加えて、給湯熱交換器内の湯温を検出する給湯熱交換器湯温検出手段と；オフ温度とオン温度とが予め与えられ、追い焚き単独運転中に上記給湯熱交換器湯温検出手段により検出される給湯熱交換器内の湯温が上記オフ温度以上に上昇したときにはバーナ燃焼を停止し、上記検出湯温がオン温度以下に低下したときにはバーナ燃焼を再開させるバーナ間欠燃焼制御部と；が設けられている構成をもって前記課題を解決する手段としている。
【００３０】
第５の発明は、上記第１〜第３の発明のうちの何れか１つの発明の構成に加えて、給湯熱交換器内の湯温を検出する給湯熱交換器湯温検出手段と；オフ温度とオン温度とが予め与えられ、追い焚き単独運転中に上記給湯熱交換器湯温検出手段により検出される給湯熱交換器内の湯温が上記オフ温度以上に上昇したときにはバーナの燃焼熱量を減少させ、上記検出湯温がオン温度以下に低下したときにはバーナの燃焼熱量を増加させるバーナ間欠燃焼制御部と；が設けられている構成をもって前記課題を解決する手段としている。
【００３１】
上記構成の発明において、追い焚き通水吸熱量検出部は、追い焚き単独運転中には、追い焚き単独運転中吸熱量検出部によって追い焚き熱交換器の通水の吸熱量を検出し、また、給湯と追い焚きの同時運転中には、同時運転中吸熱量検出部によって追い焚き熱交換器の通水の吸熱量を検出する。
【００３２】
例えば、追い焚き単独運転中には、追い焚き熱交換器の熱効率は風呂の温度変化に応じて変動することが分かったので、追い焚き単独運転中に、風呂の温度に基づいて定まる追い焚き熱交換器の熱効率とバーナの燃焼熱量との組み合わせによって、追い焚き熱交換器の通水吸熱量を求め、また、バーナの実効総燃焼熱量や給湯熱交換器の通水の吸熱量は正確に求めることが可能であることから、同時運転中に、上記バーナの実効総燃焼熱量から給湯熱交換器の通水の吸熱量を差し引いた差分熱量を追い焚き熱交換器の通水吸熱量として求めることによって、追い焚き熱交換器の通水吸熱量を精度良く検出することが可能となり、このことにより、浴槽湯水の残水量が正確に求められる。
【００３３】
【発明の実施の形態】
以下に、この発明に係る実施形態例を図面に基づき説明する。
【００３４】
この実施形態例の一缶多水路式燃焼機器は前記図１０に示した一缶二水路風呂給湯器のシステムを有し、特徴的なことは、追い焚き単独運転に起因した給湯熱交換器滞留湯の高温加熱問題を回避することができる上に、浴槽の残水量を正確に検出することを可能にする制御構成を備えていることである。なお、この実施形態例の説明において、図１０のシステム構成は前述したので、その共通部分の重複説明は省略する。
【００３５】
図１には本実施形態例において特徴的な主要な制御構成がブロック図により示されている。この制御装置２７は、前記したバーナ間欠燃焼制御部３２に加えて、湯張り運転制御部３５と燃焼制御部３６と給湯通水吸熱量検出部３７と残水量検出部３８とメモリ４０と実効総燃焼熱量検出部４１と追い焚き通水吸熱量検出部４３と同時・単独運転判別部４４とを有して構成されている。
【００３６】
湯張り運転制御部３５には湯張り運転のシーケンスプログラムが予め与えられており、湯張り運転制御部３５はリモコン２８等により自動運転開始や湯張り運転開始が指令されると、上記シーケンスプログラムに従って前述したように湯張り運転を制御する。
【００３７】
燃焼制御部３６は上記湯張り運転制御部３５等から燃焼開始の指令が加えられたときには電磁弁７（８）を開弁して点火器（図示せず）によりバーナ５の燃焼を開始させ、燃焼停止の指令が加えられたときには電磁弁７（８）を閉弁してバーナ燃焼を停止させると共に、比例弁１０に加える開弁駆動電流Ｉｓを変化させて燃焼熱量制御を行う構成を有している。
【００３８】
同時・単独運転判別部４４はバーナ５の燃焼中に、追い焚き単独運転中であるのか同時運転中であるのか判別する構成を備えている。つまり、例えばバーナ燃焼火炎を検知するフレームロッド電極によって燃焼火炎が検知されているバーナ燃焼中に、注湯弁２５が閉弁しており、循環ポンプ１７が駆動して流水センサ１９によって追い焚き循環流路２３の通水が検出されている追い焚き状態で、流量検出センサ１３から給水管１１の通水が検出されていないときには、給湯は行われておらず追い焚きのみの追い焚き単独運転中であると判断し、また、追い焚き燃焼中に流量検出センサ１３から給水管１１の通水が検出されているときには、給湯と追い焚きが共に行われている同時運転中であると判断して、バーナ燃焼中における追い焚き単独運転と同時運転とを判別する。
【００３９】
メモリ４０にはオフ温度と該オフ温度よりも低いオン温度とが予め格納されており、バーナ間欠燃焼制御部３２は前記同時・単独運転判別部４４の判別情報を時々刻々と取り込み、該情報に基づき追い焚き単独運転が行われていることを検知している間には、前記したように、給湯熱交湯温センサ３１により検出される給湯熱交換器２内の湯温に基づきバーナ間欠燃焼を制御する。
【００４０】
この実施形態例では、追い焚き単独運転中には設定の強燃焼熱量でもってバーナ燃焼が行われるように前記燃焼制御部３６によって燃焼熱量制御が成され、このような場合に、給湯熱交換器２内の滞留湯水が沸騰に近い高温に上昇するのを防止することができるオフ温度とオン温度とが予め実験や演算等によって求められ、上記の如く、メモリ４０に格納されている。
【００４１】
実効総燃焼熱量検出部４１は、同時運転中に、バーナ５の燃焼により発生した燃焼熱量のうち、給湯熱交換器２と追い焚き熱交換器３の各通水に吸熱されて有効に利用される実効総燃焼熱量Ｊalを検出する構成を有する。例えば、実効総燃焼熱量検出部４１は、前記燃焼制御部３６から比例弁１０の開弁駆動電流ｉの情報を燃料消費量Ｉｓ（バーナ５の燃焼熱量）として時々刻々と取り込む。メモリ４０にはバーナ５の燃焼熱量を利用して上記実効総燃焼熱量を求めるためのデータが表データやグラフデータや演算式データ等のデータ形式で予め格納されており、実効総燃焼熱量検出部４１は上記取り込んだ燃焼熱量を上記メモリ４０のデータに照らし合わせて実効総燃焼熱量Ｊal（Ｊal＝Ｉｓ×ａ（ａは給湯熱交換器の熱効率））を求める。
【００４２】
給湯通水吸熱量検出部３７は、例えば、バーナ５の燃焼中に、給水温度検出センサ１２により検出される入水温度Ｔinと、流量検出センサ１３により検出される給湯熱交換器２の通水流量Ｒと、給湯温度センサ１５により検出される出湯温度Ｔoutとの情報を時々刻々と取り込み、これら取り込んだ情報をメモリ４０に格納されている給湯通水吸熱量検出用データに参照して、給湯熱交換器２の通水の吸熱量を検出する。
【００４３】
具体的には、この実施形態例では、上記給湯通水吸熱量検出用データは上記入水温度Ｔinと、出湯温度Ｔoutと、給水流量Ｒとをパラメータとして給湯熱交換器２の通水吸熱量Ｊyuを算出する下式（１）に示すような演算式データとして与えられており、給湯通水吸熱量検出部３７は上記検出された上記入水温度Ｔinと、出湯温度Ｔoutと、給水流量Ｒとをそれぞれ給湯通水吸熱量検出用データの所定のパラメータに代入し給湯熱交換器２の通水吸熱量Ｊyuを算出する。
【００４４】
Ｊyu＝Ｒ×（Ｔout−Ｔin）・・・・・（１）
【００４５】
残水量検出部３８は前記湯張り運転制御部３５から残水量検出指令が加えられると、循環ポンプ１７を駆動させて浴槽湯水を追い焚き循環流路２３を介して循環させ、追い焚き循環流路２３の通水が流水センサ１９によって検知された以降に、前記燃焼制御部３６に燃焼開始指令を発してバーナ５の燃焼を開始させる。
【００４６】
残水量検出部３８はバーナ５の燃焼を開始させた以降に、風呂温度センサ２１により検出される風呂温度を取り込んで該風呂温度を残水量検出開始時温度Ｔstartとしてメモリ４０に格納させ、同時に、追い焚き通水吸熱量検出部４３に吸熱量検出開始指令を発する。
【００４７】
追い焚き通水吸熱量検出部４３は上記吸熱量検出開始指令を受けて、バーナ燃焼熱量から追い焚き熱交換器３の通水が受け取る吸熱量を検出する。この実施形態例では、追い焚き通水吸熱量検出部４３は、図２に示すように、積算部４６と同時運転中吸熱量検出部４７と単独運転中吸熱量検出部４８とモード切り換え部５０とタイマ５１を有して構成されている。
【００４８】
上記モード切り換え部５０は上記吸熱量検出開始指令を受けて、前記同時・単独運転判別部４４の判別情報の取り込みを開始し、時々刻々と取り込まれる上記判別情報に基づいて、追い焚き単独運転から同時運転に切り換わったことを検知したときには同時運転中吸熱量検出部４７に切り換え信号を出力し、同時運転中吸熱量検出部４７による追い焚き熱交換器３の通水吸熱量検出動作を開始させ、また、同時運転から追い焚き単独運転に切り換わったことを検知したときには単独運転中吸熱量検出部４８に切り換え信号を出力し、上記同時運転中吸熱量検出部４７から単独運転中吸熱量検出部４８に切り換えて追い焚き熱交換器３の通水吸熱量検出動作を行わせる。
【００４９】
単独運転中吸熱量検出部４８は、上記モード切り換え部５０の切り換え信号を受けて、予め定められた第１のモードを行う。例えば、タイマ５１には検出時間が予め設定されており、単独運転中吸熱量検出部４８は、上記タイマ５１に設定されている検出時間毎に、風呂温度センサ２１により検出される風呂温度Ｔｈを取り込み、また、前記燃焼制御部３６から比例弁１０の開弁駆動電流Ｉｓの情報をバーナ燃焼熱量として取り込む。
【００５０】
前記メモリ４０には風呂温度Ｔｈと開弁駆動電流ｉに対応した燃料消費量Ｉｓとをパラメータとして追い焚き熱交換器３の通水吸熱量Ｊhrを求めるための下式（２）に示すような演算式データである追い焚き単独運転中吸熱量検出用データが格納されている。
【００５１】
Ｊhr＝Ｉｓ×（Ａ×Ｔｈ＋Ｂ）・・・・・（２）
【００５２】
ただし、上記Ａ，Ｂはそれぞれ定数であり、予め与えられている。
【００５３】
この実施形態例では、追い焚き単独運転中には前記したようにバーナ間欠燃焼制御部３２による間欠燃焼が行われており、この間欠燃焼中における追い焚き熱交換器３の熱効率ηは、追い焚き熱交換器３に流れ込む湯水温度に基づき定まることが本発明者らの実験等によって分かったので、このことに着目し、風呂温度Ｔｈの変化に応じた追い焚き熱交換器３の熱効率ηの変化のデータを実験や演算等によって求め、この求めたデータに基づき、風呂温度Ｔｈをパラメータとして間欠燃焼中の追い焚き熱交換器３の熱効率ηを求めるための下式（３）に示すような演算式データを定めることができた。
【００５４】
η＝（Ａ×Ｔｈ＋Ｂ）・・・・・（３）
【００５５】
追い焚き熱交換器３の通水吸熱量Ｊhrは、バーナ燃焼熱量（開弁駆動電流）Ｉｓに追い焚き熱交換器３の熱効率ηを乗算して求めることができるので、前式（２）に示すような追い焚き熱交換器３の通水吸熱量検出用の演算式データが導き出された。
【００５６】
ところで、追い焚き熱交換器３に流れ込む湯水の温度、つまり、風呂温度Ｔｈが高くなるに従ってバーナ燃焼熱量から追い焚き熱交換器３の通水が吸熱する熱量は低くなり、追い焚き熱交換器３の熱効率ηは下がることから、上式（２）、（３）に示す定数Ａは負の値となっている。
【００５７】
単独運転中吸熱量検出部４８は、上記取り込んだ風呂温度Ｔｈと燃焼熱量Ｉｓをそれぞれ前式（２）に示す追い焚き単独運転中吸熱量検出用データの所定のパラメータに代入して追い焚き単独運転中における追い焚き熱交換器３の通水吸熱量Ｊhrを算出する。このように通水吸熱量Ｊhrを検出する度に、単独運転中吸熱量検出部４８は上記検出熱量Ｊhrを前記積算部４６に出力する。
【００５８】
積算部４６は加えられた通水吸熱量Ｊhrを積算していく。
【００５９】
上記同時運転中吸熱量検出部４７は、上記切り換え信号を受けて、予め定められた第２のモードを行う。例えば、同時運転中吸熱量検出部４７は上記タイマ５１に設定されている検出時間毎に、前記実効総燃焼熱量検出部４１により検出される実効総燃焼熱量Ｊalと、前記給湯通水吸熱量検出部３７により検出される給湯熱交換器２の通水吸熱量Ｊyuとを取り込む。
【００６０】
前記メモリ４０には、上記実効総燃焼熱量Ｊalと、給湯熱交換器２の通水吸熱量Ｊyuとをパラメータとして追い焚き熱交換器３の通水吸熱量Ｊhrを求めるための下式（４）に示すような演算式データである同時運転中吸熱量検出用データが格納されている。
【００６１】
Ｊhr＝Ｊal−Ｊyu・・・・・（４）
【００６２】
上記同時運転中吸熱量検出部４７は、上記取り込んだ実効総燃焼熱量Ｊalと給湯熱交換器２の通水吸熱量Ｊyuとをそれぞれ同時運転中吸熱量検出用データの所定のパラメータに代入して追い焚き熱交換器３の通水吸熱量Ｊhrを算出し、この算出した通水吸熱量Ｊhrを積算部４６に出力する。
【００６３】
積算部４６は前述したように加えられた熱量Ｊhrを積算していく。例えば、追い焚き熱交換器３の通水吸熱量検出動作中に、図３に示すように、前記単独運転中吸熱量検出部４８の検出吸熱量を積算していた状態から、同時運転に切り換わった以降には、上記切り換え前の積算値に、上記同時運転中吸熱量検出部４７から加えられる吸熱量を積算していき、再び、同時運転から追い焚き単独運転に切り換わった以降には、上記切り換え前の積算値に上記単独運転中吸熱量検出部４８から加えられる吸熱量を積算していく。
【００６４】
残水量検出部３８には追い焚き熱交換器３の通水吸熱量検出終了条件が与えられており、その条件が満たされたときに追い焚き通水吸熱量検出部４３に吸熱量検出終了指令を発する。この実施形態例では、吸熱量検出終了条件として次の２つの条件が与えられている。第１の条件は、風呂温度センサ２１により検出される風呂温度Ｔｈがリモコン２８に設定されている風呂設定温度Ｔspに達したときであり、第２の条件は、残水量検出開始時に検出した風呂温度Ｔstartに対する風呂の温度上昇量ΔＴが設定値（例えば、２０deg）に達したときである。
【００６５】
残水量検出部３８は、風呂温度センサ２１の検出風呂温度Ｔｈを時々刻々と取り込み、該検出風呂温度Ｔｈと、前記メモリ４０に格納した残水量検出開始時温度Ｔstartとに基づき、上記第１の条件と第２の条件のうちのどちらか一方が満たされたと判断したときに、吸熱量検出終了指令を追い焚き通水吸熱量検出部４３に出力する。
【００６６】
追い焚き通水吸熱量検出部４３は上記吸熱量検出終了指令が加えられると、吸熱量検出動作を終了し、吸熱量検出開始指令が加えられてから上記吸熱量検出終了指令が加えられるまでの積算部４６による積算値を追い焚き熱交換器３の通水総吸熱量Ｊtotalとして残水量検出部３８に出力し、積算部４６の積算値をクリアする。
【００６７】
残水量検出部３８は、上記追い焚き通水吸熱量検出部４３から加えられた追い焚き熱交換器３の通水総吸熱量Ｊtotalを、吸熱量検出開始時温度Ｔstartに対する検出終了時風呂温度Ｔｈの温度上昇量ΔＴ（ΔＴ＝Ｔｈ−Ｔstart）で割り算して浴槽１８の残水量Ｑzq（Ｑzq＝Ｊtotal／ΔＴ）を求め、該求めた残水量Ｑzqを湯張り運転制御部３５に出力し、湯張り運転制御部３５は該残水量Ｑzqに基づき湯張り運転を継続する。
【００６８】
この実施形態例において特徴的な制御構成は上記のように構成されており、以下に、上記制御構成における自動運転の制御動作の一例を図５、図６、図７の各フローチャートに基づき説明する。
【００６９】
まず、自動運転の開始指令が加えられると（図５のステップ１０１）、給湯使用中か否かの判断が行われ（ステップ１０２）、給湯が使用されていないと判断したときには湯張り運転を開始し、反対に、給湯使用中であると判断した場合にはその状態のまま待機して湯張り運転に備える。このように、給湯使用中であるときに湯張り運転を開始しないのは次のような理由に因る。つまり、給湯と湯張りを同時に行うと、給湯熱交換器２により作られた湯は給湯側と湯張り側とに分岐して使用されることとなり、給湯の出湯量が大幅に減少し、給湯の利用者は出湯量の減少によって不快感を持つことが考えられるからである。
【００７０】
上記ステップ１０２の判断動作によって、湯張り運転を開始することが可能であると判断したときには湯張り運転を開始する。湯張り運転は、浴槽１８内に湯水が残っているか否かの残水判断動作から始められる。まず、循環ポンプ１７を所定の駆動時間の間、駆動させ（ステップ１０３）、この駆動時間内に流水センサ１９によって追い焚き循環流路２３の通水が検知されたか否かを判断することで、浴槽１８の水位が循環口水位（前記循環金具の配設位置近傍の水位）以下の水位であるか否かの判断が行われる（ステップ１０４）。この判断動作によって、浴槽水位が循環口水位よりも上側にあると判断したときには、浴槽１８に残水が有ると判断し、後に詳細を示す残水量検出動作を行う（ステップ１１４）。
【００７１】
また、前記ステップ１０４で浴槽水位が循環口水位以下であると判断したときには、注湯弁２５を開弁し、給湯熱交換器２により作られた湯を追い焚き循環流路２３を通して浴槽１８に注ぎ始め、設定の水量Ａリットル（例えば１０リットル）を注湯し終えたと流量検出センサ１３の検出流量に基づき判断したときに、注湯弁２５を閉弁する（ステップ１０５）。
【００７２】
そして、再び、循環ポンプ１７を所定時間の間、駆動し（ステップ１０６）、このポンプ駆動による追い焚き循環流路２３の通水が検知されたときには、浴槽水位は循環口水位よりも上側の水位であると判断して浴槽１８に残水が有ると判断し（ステップ１０７）、上記同様に、後に詳細を示す残水量検出動作を行う（ステップ１１４）。
【００７３】
また、上記ステップ１０７で、ポンプ駆動による追い焚き循環流路２３の通水が検知されず、浴槽水位は循環口水位以下の水位であると判断したときには浴槽１８に残水が無いものと判断し、注湯弁２５を開弁して図４に示すＰ−Ｑデータに基づいて設定水位まで浴槽１８に注湯し（ステップ１０８）、湯張り運転を終了する。
【００７４】
その後、循環ポンプ１７を駆動し、風呂温度センサ２１によって風呂の温度Ｔｈを検出し（ステップ１０９）、風呂の設定温度Ｔspから上記風呂温度センサ２１の誤差温度α（例えば、０．５deg）を差し引いた温度（Ｔsp−α）よりも上記検出風呂温度Ｔｈが低いか否かを判断し（ステップ１１０）、検出風呂温度Ｔｈが上記温度（Ｔsp−α）以上であると判断したときには、風呂の温度はほぼ設定温度Ｔspに達していると判断して、循環ポンプ１７を停止し（図６のステップ１１２）、沸き上がりブザーを設定時間の間（例えば、１０秒間）鳴らして風呂が沸き上がったことを報知すると共に、後述する保温動作が開始されたことを示す保温表示ランプ等を点灯させる（ステップ１１３）。
【００７５】
また、上記ステップ１１０の判断動作で、検出風呂温度Ｔｈが上記温度（Ｔsp−α）よりも低いと判断したときには、引き続き、循環ポンプ１７を駆動させてバーナ５の燃焼を開始させて追い焚きを行い（図６のステップ１１１）、風呂温度センサ２１の検出風呂温度Ｔｈがほぼ設定温度Ｔspに達したことを検知したときに、バーナ５の燃焼を停止し、上記同様に、循環ポンプ１７の駆動を停止し、沸き上がりブザーを鳴らし、保温表示ランプ等を点灯する（ステップ１１３）。
【００７６】
保温動作は例えば次のように行われる。この保温動作を行うために、例えば、保温動作が開始されてからの時間の経過を計測する時間計測手段と、予め定めた追い焚きタイミングの時間間隔ｔｓ（例えば、３０分）が設定されたタイマが設けられており、まず、上記時間計測手段を駆動させて保温動作が開始されてからの経過時間の計測を開始すると共に、上記タイマのカウントを開始する。
【００７７】
そして、上記タイマがタイムアップしたか否かを判断することで上記追い焚きタイミングｔｓであるか否かを判断し（図６のステップ１１７）、追い焚きタイミングであると判断したときには上記タイマをリセットすると共に循環ポンプ１７を駆動し、風呂温度センサ２１により風呂温度Ｔｈを検出し、該検出風呂温度Ｔｈが風呂設定温度Ｔspよりも許容範囲（例えば、３deg）を越えて低下していると判断したときにはバーナ５の燃焼を開始させて追い焚きを行い風呂温度Ｔｈを設定温度Ｔspに高めて風呂の保温を行う。
【００７８】
そして、再び、上記タイマを駆動させ、上記ステップ１１７の判断動作によって、追い焚きタイミングでないと判断したときには、前記時間計測手段の計測時間と、予め定められた保温限界時間ｔｒ（例えば、４時間）とを比較して、上記計測時間が限界時間ｔｒに達したか否かを判断し（ステップ１１８）、限界時間ｔｒに達していないと判断したときには前記ステップ１１７以降の動作を繰り返して行い、また、上記ステップ１１８の判断動作によって、時間計測手段の計測時間が限界時間ｔｒに達したと判断したときには、保温動作を終了し、保温表示ランプ等を消灯させる（ステップ１２０）。
【００７９】
以下に、この実施形態例において最も特徴的な残水量検出動作の一例を示す。
【００８０】
まず、湯張り運転制御部３５から残水量検出部３８に残水量検出指令が加えられると（図７のステップ２０１）、残水量検出部３８は、循環ポンプ１７を駆動させ、然る後に、風呂温度センサ２１の検出風呂温度Ｔｈを取り込み（ステップ２０２）、該検出風呂温度Ｔｈと、風呂設定温度Ｔspから風呂温度センサ２１の誤差温度β（例えば、０．５deg）を差し引いた差分温度（Ｔsp−β）とを比較し、上記差分温度（Ｔsp−β）よりも上記検出風呂温度Ｔｈが低いか否かを判断し（ステップ２０３）、検出風呂温度Ｔｈが上記差分温度（Ｔsp−β）以上であると判断したときには、風呂温度はほぼ設定温度Ｔspであるので、追い焚き燃焼を行うと風呂の湯温が設定温度Ｔspよりも高くなってしまうので追い焚き燃焼を行うことができず、追い焚き燃焼を伴う残水量検出を行うことができないと判断し、前記ステップ１１２以降の動作を行う。つまり、循環ポンプ１７を停止させ、湯張り運転を終了し、前記したように沸き上がりブザーを鳴らして保温運転に移行する。
【００８１】
また、前記ステップ２０３の判断動作によって、検出風呂温度Ｔｈが上記差分温度（Ｔsp−β）よりも低いと判断したときには、引き続き循環ポンプ１７を駆動させて、バーナ５の燃焼を開始させる（ステップ２０４）。
【００８２】
そして、前記同時・単独運転判別部４４の情報に基づいて、追い焚き運転中に給湯が開始される給湯割り込みが行われたか否かを判断し（ステップ２０５）、つまり、追い焚き単独運転から同時運転に切り換わったか否かを判断し、給湯割り込みが行われていないと判断したときには、追い焚き単独運転は継続されていると判断し、前記追い焚き通水吸熱量検出部４３のモード切り換え部５０の切り換え制御により、単独運転中吸熱量検出部４８による第１のモードで追い焚き熱交換器３の通水吸熱量が検出される（ステップ２０６）。
【００８３】
その後、残水量検出部３８は前記吸熱量検出終了条件が満たされたか否かを判断し（ステップ２０８）、吸熱量検出終了条件が満たされていないと判断したときには、前記ステップ２０５以降の動作を繰り返して行う。
【００８４】
前記ステップ２０５で、給湯割り込みが行われたと判断したときには、追い焚き運転から同時運転に切り換わったと判断し、モード切り換え部５０は上記単独運転中吸熱量検出部４８による第１のモードから同時運転中吸熱量検出部４７による第２のモードに切り換え、同時運転中吸熱量検出部４７により追い焚き熱交換器３の通水吸熱量が検出される（ステップ２０７）。
【００８５】
そして、再び、前記ステップ２０８で吸熱量検出終了条件が満たされたか否かの判断動作が行われ、吸熱量検出終了条件が満たされていないと判断したときには、再度、前記ステップ２０５以降の動作を繰り返して行い、また、上記ステップ２０８で吸熱量検出終了条件が満たされたと判断したときには、残水量検出部３８は、吸熱量検出終了指令を発して上記追い焚き通水吸熱量検出部４３による追い焚き熱交換器３の通水吸熱量検出動作を終了させ、また、このときの風呂温度Ｔｈを風呂温度センサ２１から取り込む。
【００８６】
その後、残水量を検出することが可能であるか否かを判断する（ステップ２０９）。この実施形態例では、残水量検出開始時の検出風呂温度Ｔstartに対する残水量検出終了時の検出風呂温度Ｔｈの温度上昇量ΔＴを求め、該温度上昇量ΔＴが設定値Ｓよりも小さいときには正確な残水量を検出することができない虞があるので、温度上昇量ΔＴと設定値Ｓを比較して、上記温度上昇量ΔＴが上記設定値Ｓよりも小さいときには残水量Ｑzqを正確に検出することができない虞があると判断し、残水量を検出しないと判断し、前記ステップ１１２以降の動作を行って、湯張り運転を終了して保温運転に移行する。
【００８７】
また、上記ステップ２０９の判定動作によって、上記温度上昇量ΔＴが設定値Ｓ以上であると判断し、残水量検出が可能であると判定したときには、残水量検出部３８は、残水量検出開始時の検出風呂温度Ｔstartに対する残水量検出終了時の検出風呂温度Ｔｈの温度上昇量ΔＴで、追い焚き通水吸熱量検出部４３により検出された追い焚き熱交換器３の通水総吸熱量Ｊtotalを割り算して浴槽１８の残水量Ｑzqを検出する。
【００８８】
そして、上記検出した残水量Ｑzqと前記Ｐ−Ｑデータに基づいた設定水量Ｑspとを比較し、上記検出残水量Ｑzqが設定水量Ｑspよりも低いか否かを判断して注湯が必要であるか否かを判断し（図５に示すステップ１１５）、上記検出残水量Ｑzqが設定水量Ｑspよりも低いと判断したときには注湯が必要であると判断し、設定水量Ｑspから上記残水量Ｑzqを差し引いて設定水位Ｐspまでの残りの注湯量を検出し、該検出注湯量を浴槽１８へ注湯し（ステップ１１６）、湯張り運転を終了する。湯張り運転終了後には、前記ステップ１０９以降の動作を行う。つまり、風呂温度がほぼ風呂設定温度Ｔspであるときにはそのまま、沸き上がりを報知し、風呂温度がほぼ風呂設定温度Ｔspよりも低いときには追い焚きを行って風呂の温度を風呂設定温度に高めて沸き上がりを報知する。その後、前記保温運転に移行する。
【００８９】
この実施形態例によれば、追い焚き単独運転中専用の追い焚き通水吸熱量検出用データと、同時運転中専用の追い焚き通水吸熱量検出用データとを予め与えておき、残水量検出を行う際に、追い焚き単独運転が行われている場合には、上記追い焚き単独運転中専用の追い焚き熱交換器吸熱量検出用データを利用した第１のモードで、追い焚き熱交換器３の通水吸熱量Ｊhrを検出し、同時運転が行われている場合には、上記同時運転中専用の追い焚き熱交換器吸熱量検出用データを利用した第２のモードで、追い焚き熱交換器３の通水吸熱量Ｊhrを検出することから、追い焚き単独運転と同時運転とを区別せずに追い焚き熱交換器３の通水吸熱量を求める場合に比べて、正確な追い焚き熱交換器３の通水吸熱量を得ることが容易となる。
【００９０】
このように、正確な追い焚き熱交換器３の通水吸熱量を得ることが可能となることから、精度良く残水量を検出することができ、このことによって、一缶二水路燃焼機器における湯張りの性能を向上させることができ、湯張り運転に対する信頼性を格段に高めることができる。
【００９１】
また、この実施形態例では、追い焚き単独運転中にはバーナ間欠燃焼制御を行うので、追い焚き単独運転に起因した給湯側の滞留湯高温加熱問題を回避することが可能であり、前記したような危険な高温出湯を防止することができ、安全性に優れた一缶二水路燃焼機器を提供することができる。その上、この実施形態例では、風呂温度Ｔｈに基づいて上記バーナ間欠燃焼中における追い焚き熱交換器３の熱効率ηを精度良く求めることが可能であることに着目して、前記追い焚き単独運転中専用の追い焚き通水吸熱量検出用データを定め与えたので、バーナ間欠燃焼が行われても、正確な追い焚き熱交換器３の通水吸熱量Ｊhrを検出することができる。
【００９２】
また、この実施形態例では、同時運転中には、実効総燃焼熱量Ｊalから給湯通水吸熱量Ｊyuを差し引いて、追い焚き熱交換器３の通水吸熱量Ｊhrを求める構成とし、上記実効総燃焼熱量Ｊalと給湯通水吸熱量Ｊyuの両方共に、精度良く検出することが可能であることから、同時運転中においても、追い焚き熱交換器３の通水吸熱量Ｊhrを正確に検出することができる。
【００９３】
上記のように、追い焚き単独運転中と同時運転中の両方共に、正確な追い焚き熱交換器３の通水吸熱量Ｊhrを検出することができ、それら正確な検出吸熱量Ｊhrに基づいて残水量Ｑzqが求められるので、残水量Ｑzqを精度良く検出することができる。
【００９４】
さらに、上記の如く、追い焚き単独運転中にはバーナ間欠燃焼を行う構成としたので、追い焚き単独運転中であっても、大きな燃焼熱量でもってバーナ燃焼を行うことが可能となり、このことによって、残水量検出に要する時間の短縮を図ることが可能となる。これに対して、残水量検出中の追い焚き燃焼中に、弱燃焼熱量でもってバーナ燃焼が行われた場合には、燃焼熱量が非常に小さいために、残水量を精度良く検出するために必要な温度まで風呂温度を高めるのに時間が掛かり、残水量を検出するのに非常に多くの時間が必要であるが、この実施形態例では、上記の如く、追い焚き単独運転中にバーナ間欠燃焼を行って、大きな燃焼熱量でもってバーナ燃焼を行うことを可能にしたので、残水量検出による追い焚き単独運転中に、残水量を精度良く検出するために必要な温度まで風呂温度を高めるのに要する時間が短くなり、このことによって、残水量検出に要する時間の短縮を図ることが可能となり、使い勝手を大幅に向上させることができる。
【００９５】
さらに、この実施形態例では、バーナ５の燃焼熱量制御を行っている比例弁１０の開弁駆動電流ｉに対応した燃料消費量Ｉｓと、給湯運転には必須の給水温度検出センサ１２や流量検出センサ１３や給湯温度センサ１５により検出される検出値と、追い焚き運転には必須の風呂温度センサ２１の検出値とを用いて、追い焚き熱交換器３の通水吸熱量Ｊhrを検出するので、追い焚き熱交換器３の通水吸熱量検出専用のセンサ等の部品を設ける必要がなく、部品点数の増加を抑制することができる。
【００９６】
なお、この発明は上記実施形態例に限定されるものではなく、様々な実施の形態を採り得る。例えば、上記実施形態例では、追い焚き単独運転中に、給湯熱交湯温センサ３１により検出される湯温が設定のオフ温度以上になったときにはバーナ燃焼を停止させ、上記検出湯温がオン温度以下に低下したときにはバーナ燃焼を再開させてバーナのオン・オフ燃焼を行っていたが、上記給湯熱交湯温センサ３１の検出湯温がオフ温度以上になったときにはバーナ燃焼熱量を低下させ、上記検出湯温がオン温度以下に低下したときにはバーナ燃焼熱量を増加させるように、燃焼熱量の増減によるバーナ間欠燃焼制御を行ってもよい。
【００９７】
また、上記実施形態例では、追い焚き単独運転中には、バーナ間欠燃焼運転を行っていたが、例えば、追い焚き単独運転に起因した高温出湯の問題を回避することができる予め定めた弱燃焼熱量でもって、追い焚き燃焼を行ってもよい。この場合にも、追い焚き熱交換器３に流れ込む浴槽湯水の温度に応じて追い焚き熱交換器３の熱効率ηが変化することから、残水量検出の追い焚き単独運転中に、風呂温度を考慮して追い焚き熱交換器３の通水吸熱量Ｊhrを求めるように構成することによって、正確な浴槽１８の残水量を求めることができる。
【００９８】
さらに、上記実施形態例では、追い焚き単独運転中吸熱量検出用データとして演算式データが与えられていたが、例えば、風呂温度とバーナの燃焼熱量との組み合わせによって追い焚き単独運転中の追い焚き熱交換器３の通水吸熱量を求めるための表データやグラフデータによって追い焚き単独運転中吸熱量検出用データが構成されていてもよい。
【００９９】
さらに、上記追い焚き単独運転中吸熱量検出用データは、風呂温度とバーナの燃焼熱量とに基づいて追い焚き熱交換器３の通水吸熱量を検出するデータであったが、風呂温度とバーナの燃焼熱量との一方又は両方を用いずに、追い焚き単独運転中における追い焚き熱交換器３の通水吸熱量Ｊhrを正確に検出することができる場合には、上記風呂温度とバーナの燃焼熱量との一方又は両方を用いずに、追い焚き単独運転中における追い焚き熱交換器３の通水吸熱量Ｊhrを正確に検出するためのデータを追い焚き単独運転中吸熱量検出用データとして定め与えてもよく、この場合には、そのデータを利用して前記同時運転中吸熱量検出部４７は追い焚き熱交換器３の通水吸熱量Ｊhrの検出動作を行う。
【０１００】
さらに、上記同時運転中吸熱量検出用データは演算式データによって与えられていたが、例えば、バーナの実効総燃焼熱量Ｊalと給湯熱交換器２の通水吸熱量Ｊyuとの組み合わせによって同時運転中の追い焚き熱交換器３の通水吸熱量Ｊhrを求めるための表データやグラフデータによって同時運転中吸熱量検出用データが構成されていてもよい。
【０１０１】
さらに、上記同時運転中吸熱量検出用データはバーナの実効総燃焼熱量Ｊalと給湯熱交換器２の通水吸熱量Ｊyuとに基づいて同時運転中の追い焚き熱交換器３の通水吸熱量Ｊhrを求めるためのデータであったが、バーナの実効総燃焼熱量Ｊalと給湯熱交換器２の通水吸熱量Ｊyuとの一方又は両方を用いずに、同時運転中の追い焚き熱交換器３の通水吸熱量Ｊhrを正確に求めることが可能な場合には、バーナの実効総燃焼熱量Ｊalと給湯熱交換器２の通水吸熱量Ｊyuとの一方又は両方を用いずに、同時運転中の追い焚き熱交換器３の通水吸熱量Ｊhrを正確に求めるためのデータを上記同時運転中吸熱量検出用データとして定め与えてもよく、この場合には、そのデータを利用して前記単独運転中吸熱量検出部４８は追い焚き熱交換器３の通水吸熱量Ｊhrの検出動作を行う。
【０１０２】
さらに、上記実施形態例は一缶二水路タイプの燃焼機器を例にして説明したが、本発明は、例えば、給湯と風呂と暖房の各機能を持つ一缶三水路タイプの燃焼機器等のように、給湯と風呂の両機能を少なくとも備えた一缶多水路式燃焼機器にも適用することができる。
【０１０３】
【発明の効果】
この発明によれば、追い焚き単独運転中には追い焚き単独運転中吸熱量検出部によって追い焚き熱交換器の通水吸熱量を検出し、同時運転中には同時運転中吸熱量検出部によって追い焚き熱交換器の通水吸熱量を検出する構成としたので、残水量検出に必要な追い焚き燃焼中に、追い焚き単独運転が行われても、同時運転が行われても、追い焚き熱交換器の通水吸熱量を精度良く検出することが可能となる。
【０１０４】
このように追い焚き熱交換器の通水吸熱量を精度良く検出することが可能であり、その正確な検出通水吸熱量に基づいて風呂の水量検出が成されるので、風呂の水量を正確に検出することができ、このことによって、一缶多水路式燃焼機器における湯張りの性能を向上させることができ、湯張りの信頼性を高めることができる。
【０１０５】
設定のタイミング毎に追い焚き熱交換器の通水吸熱量を検出し、この追い焚き熱交換器の通水吸熱量検出動作中に、追い焚き単独運転と同時運転とが切り換わったときには運転切り換え前に検出した追い焚き熱交換器の通水吸熱量と、運転切り換え後に検出した追い焚き熱交換器の通水吸熱量とを積算した値を追い焚き熱交換器の通水総吸熱量として検出し、該検出通水総吸熱量に基づいて風呂の水量を検出する構成としたものにあっては、追い焚き熱交換器の通水吸熱量検出動作中に、追い焚き単独運転と同時運転とが切り換わっても、追い焚き熱交換器の通水吸熱量を正確に求めることが可能であり、追い焚き熱交換器の通水吸熱量検出動作中における運転切り換えの悪影響を受けずに、精度良く風呂の水量を検出することができる。
【０１０６】
追い焚き単独運転中に、風呂温度検出手段により検出される風呂温度を用いて追い焚き熱交換器の通水吸熱量を求める構成のものにあっては、風呂温度に基づいて、追い焚き単独運転中における追い焚き熱交換器の熱効率を正確に求めることが可能であることから、この正確に求められる追い焚き熱交換器の熱効率に、バーナの燃焼熱量を乗算することで簡単に、しかも、正確に追い焚き熱交換器の通水吸熱量を求めることが可能である。
【０１０７】
本発明においては、同時運転中に、給湯熱交換器の通水吸熱量と、バーナの実効総燃焼熱量とに基づいて、追い焚き熱交換器の通水吸熱量を検出する構成のものであり、正確、かつ、簡単に求めることができる給湯熱交換器の通水吸熱量と、バーナの実効総燃焼熱量とに基づいて、追い焚き熱交換器の通水吸熱量を検出するので、同時運転中における追い焚き熱交換器の通水吸熱量も、簡単、かつ、正確に検出することが可能となる。
【０１０８】
また、上記の如く、追い焚き単独運転中には風呂温度検出手段の検出風呂温度に基づき、また、同時運転中には給湯熱交換器の通水吸熱量と、バーナの実効総燃焼熱量とに基づいて、それぞれ追い焚き熱交換器の通水吸熱量を検出する構成のものにあっては、上記給湯熱交換器の通水吸熱量は給湯運転に必須の温度検出手段等の部品を利用して求めることができ、また、バーナの実効総燃焼熱量はバーナ燃焼制御に必須の部品を利用して求めることができ、上記風呂温度検出手段は追い焚き運転に必須の部品であることから、追い焚き熱交換器の通水吸熱量検出専用の部品を設ける必要がなく、部品点数の増加を抑制することができる。その上、上記の如く、追い焚き熱交換器の通水吸熱量を精度良く検出することができる。
【０１０９】
また、追い焚き単独運転中に、バーナ間欠燃焼制御部による燃焼制御が行われる構成のものにあっては、バーナ間欠燃焼によって、給湯熱交換器の滞留湯の高温上昇を抑制することができ、追い焚き単独運転に起因した給湯側の滞留湯高温加熱問題を回避することができるので、追い焚き単独運転に起因した危険な高温出湯を防止することができ、安全性に優れた一缶多水路式燃焼機器を提供することができる。その上、上記の如く、追い焚き単独運転中に給湯熱交換器の滞留湯の高温上昇を抑制しながら、大きな燃焼熱量でもってバーナ燃焼を行うことが可能となるので、風呂の水量を正確に検出するのに必要な温度まで風呂の温度を上昇させるのに要する時間を短くすることが容易となり、風呂の水量検出に要する時間の短縮を図ることができる。
【図面の簡単な説明】
【図１】本発明に係る実施形態例において特徴的な制御構成を示すブロック構成図である。
【図２】追い焚き通水吸熱量検出部を抜き出してその構成例を示すブロック構成図である。
【図３】追い焚き熱交換器の通水吸熱量の検出動作例を時系列的に示す説明図である。
【図４】Ｐ−Ｑデータの一例を示すグラフである。
【図５】本実施形態例に示す自動運転動作の一例を示すフローチャートである。
【図６】図５に引き続き自動運転動作の一例を示すフローチャートである。
【図７】本実施形態例において特徴的な残水量検出動作の一例を示すフローチャートである。
【図８】バーナの燃焼熱量が小さいときの追い焚き熱交換器の熱交換態様を示すための説明図である。
【図９】バーナの燃焼熱量が大きいときの追い焚き熱交換器の熱交換態様を示すための説明図である。
【図１０】一缶二水路燃焼機器の一例を示すモデル図である。
【図１１】バーナ間欠燃焼の制御構成の一例を示すブロック図である。
【図１２】バーナ間欠燃焼制御を行った場合の給湯熱交換器の滞留湯の温度変化を示すグラフである。
【符号の説明】
２  給湯熱交換器
３  追い焚き熱交換器
５  バーナ
１０  比例弁
１８  浴槽
２１  風呂温度センサ
３１  給湯熱交湯温センサ
３２  バーナ間欠燃焼制御部
３７  給湯通水吸熱量検出部
３８  残水量検出部
４１  実効総燃焼熱量検出部
４３  追い焚き通水吸熱量検出部
４６  積算部
４７  同時運転中吸熱量検出部
４８  単独運転中吸熱量検出部
５０  モード切り換え部
【図１】
0003834423.tif 000002
【図２】
0003834423.tif 000003
【図３】
0003834423.tif 000004
【図４】
0003834423.tif 000005
【図５】
0003834423.tif 000006
【図６】
0003834423.tif 000007
【図７】
0003834423.tif 000008
【図８】
0003834423.tif 000009
【図９】
0003834423.tif 000010
【図１０】
0003834423.tif 000011
【図１１】
0003834423.tif 000012
【図１２】
0003834423.tif 000013